(57)【要約】【課題】複数の開閉器の動作を一括監視する際に、シールイン回路に接続されている開閉器が設けられている場合でも、その開閉器の動作を適切に監視する。【解決手段】開閉器一括監視装置２４は、主幹電流Ｉ１の測定値を取得する電流取得部と、主幹電流Ｉ１の変化率が、第１時間から第２時間までの間において上昇し、第２時間から第３時間までの間において下降し、第３時間から再度上昇している制御状態であるかを判定し、制御状態と判定した場合に、第１時間から第３時間までの間においてシールイン回路７２に主幹電流Ｉ１が供給されたと判断する判定部と、判定部が制御状態と判断した場合に、第３時間からの主幹電流Ｉ１の波形に基づき波形処理を実行して、開閉器１８の動作状態を判定するための電流波形を抽出する波形処理部と、を有する。【選択図】図１
2019030129.tif 000002
【特許請求の範囲】
【請求項１】
少なくとも一台がシールイン回路に接続されている複数の開閉器と、前記複数の開閉器及び前記開閉器以外の機器のそれぞれに供給される制御用の電流を、主幹電流として供給する制御電源と、を有した電気所において、前記複数の開閉器の動作を一括監視する開閉器一括監視装置であって、
前記主幹電流の測定値を取得する電流取得部と、
前記主幹電流の変化率が、第１時間から第２時間までの間において上昇し、前記第２時間から第３時間までの間において下降し、前記第３時間から再度上昇している制御状態であるかを判定し、前記制御状態と判定した場合に、前記第１時間から前記第３時間までの間において前記シールイン回路に前記主幹電流が供給されたと判断する判定部と、
前記判定部が前記制御状態と判断した場合に、前記第３時間からの前記主幹電流の波形に基づき波形処理を実行して、前記開閉器の動作状態を判定するための電流波形を抽出する波形処理部と、
を有する、開閉器一括監視装置。
【請求項２】
前記判定部は、前記主幹電流の変化率が、前記第２時間においてピーク値となり、前記第３時間において０となり、前記第３時間から再度上昇した場合に、前記制御状態であると判定する、請求項１に記載の開閉器一括監視装置。
【請求項３】
前記判定部は、前記第１時間から前記第２時間までの時間の長さが、所定の時間長さ閾値以下である場合に、前記制御状態であると判断する、請求項１又は請求項２に記載の開閉器一括監視装置。
【請求項４】
前記判定部は、前記第１時間から前記第２時間までにおける前記主幹電流の変化率の最大値が、所定の変化率閾値以上である場合に、前記制御状態であると判定する、請求項１から請求項３のいずれか１項に記載の開閉器一括監視装置。
【請求項５】
前記波形処理部は、前記判定部が前記制御状態と判断した場合、前記第３時間からの前記主幹電流の波形から、前記第３時間における前記主幹電流の電流値を差し引いた波形に基づき、前記波形処理を実行する、請求項１から請求項４のいずれか１項に記載の開閉器一括監視装置。
【請求項６】
前記電流取得部が取得した前記主幹電流が所定の変化率以上であるかを検出する監視部と、
前記監視部が前記所定の変化率以上であると検出した場合に、前記主幹電流の波形を記録する主幹電流波形記録部と、を更に有し、
前記判定部は、前記主幹電流の波形に基づき、前記制御状態であるかを判定する、請求項１から請求項４のいずれか１項に記載の開閉器一括監視装置。
【請求項７】
前記シールイン回路は、前記主幹電流が供給された場合に、前記シールイン回路に接続された開閉器の接点を閉じることにより前記開閉器に前記主幹電流を供給させて、前記開閉器を開動作させるものである、請求項１から請求項６のいずれか１項に記載の開閉器一括監視装置。
【請求項８】
少なくとも一台がシールイン回路に接続されている複数の開閉器と、前記複数の開閉器及び前記開閉器以外の機器のそれぞれに供給される制御用の電流を、主幹電流として供給する制御電源と、を有した電気所において、前記複数の開閉器の動作を一括監視する開閉器一括監視方法であって、
前記主幹電流の測定値を取得する電流取得ステップと、
前記主幹電流の変化率が、第１時間から第２時間までの間において上昇し、前記第２時間から第３時間までの間において下降し、前記第３時間から再度上昇している制御状態であるかを判定し、前記制御状態と判定した場合に、前記第１時間から前記第３時間までの間において前記シールイン回路に前記主幹電流が供給されたと判断する判定ステップと、
前記判定ステップにおいて前記制御状態と判断した場合に、前記第３時間からの前記主幹電流の波形に基づき波形処理を実行して、前記開閉器の動作状態を判定するための電流波形を抽出する波形処理ステップと、
を有する、開閉器一括監視方法。
【請求項９】
少なくとも一台がシールイン回路に接続されている複数の開閉器と、前記複数の開閉器及び前記開閉器以外の機器のそれぞれに供給される制御用の電流を、主幹電流として供給する制御電源と、を有した電気所において、前記複数の開閉器の動作を一括監視する情報処理装置に、
前記主幹電流の測定値を取得する電流取得ステップと、
前記主幹電流の変化率が、第１時間から第２時間までの間において上昇し、前記第２時間から第３時間までの間において下降し、前記第３時間から再度上昇している制御状態であるかを判定し、前記制御状態と判定した場合に、前記第１時間から前記第３時間までの間において前記シールイン回路に前記主幹電流が供給されたと判断する判定ステップと、
前記判定ステップにおいて前記制御状態と判断した場合に、前記第３時間からの前記主幹電流の波形に基づき波形処理を実行して、前記開閉器の動作状態を判定するための電流波形を抽出する波形処理ステップと、
を実行させるための開閉器一括監視プログラム。
【発明の詳細な説明】
【技術分野】
【０００１】
本発明は、開閉器一括監視装置、開閉器一括監視方法及び開閉器一括監視プログラムに関する。
【背景技術】
【０００２】
電気所には、複数の開閉器（遮断器）が設けられており、この開閉器が正常に動作しているかを監視する必要がある。開閉器の動作を監視するには、開閉器に供給される制御用の電流の波形を観察する場合がある。また、電気所には、複数の開閉器に加えて、開閉器以外の機器が設けられているケースもあり、これらの開閉器や機器は、共通する電源から、制御用の電流が一括供給される。従って、開閉器に制御用の電流を供給しない場合であっても、電源の母線には、機器の制御用の電流が流れることとなる。そのため、この電源の母線に流れる電流から、開閉器の制御用の電流の波形を特定することが困難となる。特許文献１には、その課題を解決するために、電源の母線を流れる電流から開閉器の制御用の電流の波形を特定し、特定した波形を記録する技術が記載されている。
【先行技術文献】
【特許文献】
【０００３】
【特許文献１】特許第４４１３２７０号公報
【発明の概要】
【発明が解決しようとする課題】
【０００４】
ここで、開閉器には、間接遮断方式が採用されている場合があり、その場合、開閉器にはシールイン回路が接続されている。シールイン回路に接続されている開閉器は、電源の母線からの電流が最初にシールイン回路に供給され、その電流供給によりシールイン回路が開閉器本体の接点を閉じる。接点が閉じられると、開閉器本体には、電源の母線から制御用の電流が導通され、この制御用の電流により、開閉器本体は開動作（遮断動作）を行う。このようにシールイン回路が接続されている開閉器は、制御に必要な電流値が小さい場合があり、例えば特許文献１のような方法では、制御用の電流の波形を特定できないおそれがある。また、波形特定の閾値を小さくして、制御用の電流値が小さい場合でも波形の特定を可能とした場合、開閉器が動作していない小さな波形変化が起きた場合にも波形を記録してしまい、適切に波形を記録できなくなるおそれもある。また、シールイン回路に接続されている開閉器は、シールイン回路に接続されていない開閉器に対して、電流の波形パターンが異なる場合があり、この場合、波形を適切に特定できなくなるおそれもある。このように、複数の開閉器の動作を一括監視する際に、シールイン回路に接続されている開閉器が設けられている場合でも、その開閉器の動作を適切に監視することが求められている。
【０００５】
本発明は、上記課題を解決するために、複数の開閉器の動作を一括監視する際に、シールイン回路に接続されている開閉器が設けられている場合でも、その開閉器の動作を適切に監視する開閉器一括監視装置、開閉器一括監視方法及び開閉器一括監視プログラムを提供することを目的とする。
【課題を解決するための手段】
【０００６】
上述した課題を解決し、目的を達成するために、本開示の開閉器一括監視装置は、少なくとも一台がシールイン回路に接続されている複数の開閉器と、前記複数の開閉器及び前記開閉器以外の機器のそれぞれに供給される制御用の電流を、主幹電流として供給する制御電源と、を有した電気所において、前記複数の開閉器の動作を一括監視する開閉器一括監視装置であって、前記主幹電流の測定値を取得する電流取得部と、前記主幹電流の変化率が、第１時間から第２時間までの間において上昇し、前記第２時間から第３時間までの間において下降し、前記第３時間から再度上昇している制御状態であるかを判定し、前記制御状態と判定した場合に、前記第１時間から前記第３時間までの間において前記シールイン回路に前記主幹電流が供給されたと判断する判定部と、前記判定部が前記制御状態と判断した場合に、前記第３時間からの前記主幹電流の波形に基づき波形処理を実行して、前記開閉器の動作状態を判定するための電流波形を抽出する波形処理部と、を有する。
【０００７】
前記判定部は、前記主幹電流の変化率が、前記第２時間においてピーク値となり、前記第３時間において０となり、前記第３時間から再度上昇した場合に、前記制御状態であると判定することが好ましい。
【０００８】
前記判定部は、前記第１時間から前記第２時間までの時間の長さが、所定の時間長さ閾値以下である場合に、前記制御状態であると判断することが好ましい。
【０００９】
前記判定部は、前記第１時間から前記第２時間までにおける前記主幹電流の変化率の最大値が、所定の変化率閾値以上である場合に、前記制御状態であると判定することが好ましい。
【００１０】
前記波形処理部は、前記判定部が前記制御状態と判断した場合、前記第３時間からの前記主幹電流の波形から、前記第３時間における前記主幹電流の電流値を差し引いた波形に基づき、前記波形処理を実行することが好ましい。
【００１１】
前記開閉器一括監視装置は、前記電流取得部が取得した前記主幹電流が所定の変化率以上であるかを検出する監視部と、前記監視部が前記所定の変化率以上であると検出した場合に、前記主幹電流の波形を記録する主幹電流波形記録部と、を更に有し、前記判定部は、前記主幹電流の波形に基づき、前記制御状態であるかを判定することが好ましい。
【００１２】
前記シールイン回路は、前記主幹電流が供給された場合に、前記シールイン回路に接続された開閉器の接点を閉じることにより前記開閉器に前記主幹電流を供給させて、前記開閉器を開動作させるものであることが好ましい。
【００１３】
上述した課題を解決し、目的を達成するために、本開示の開閉器一括監視方法は、少なくとも一台がシールイン回路に接続されている複数の開閉器と、前記複数の開閉器及び前記開閉器以外の機器のそれぞれに供給される制御用の電流を、主幹電流として供給する制御電源と、を有した電気所において、前記複数の開閉器の動作を一括監視する開閉器一括監視方法であって、前記主幹電流の測定値を取得する電流取得ステップと、前記主幹電流の変化率が、第１時間から第２時間までの間において上昇し、前記第２時間から第３時間までの間において下降し、前記第３時間から再度上昇している制御状態であるかを判定し、前記制御状態と判定した場合に、前記第１時間から前記第３時間までの間において前記シールイン回路に前記主幹電流が供給されたと判断する判定ステップと、前記判定ステップにおいて前記制御状態と判断した場合に、前記第３時間からの前記主幹電流の波形に基づき波形処理を実行して、前記開閉器の動作状態を判定するための電流波形を抽出する波形処理ステップと、を有する。
【００１４】
上述した課題を解決し、目的を達成するために、本開示の開閉器一括監視プログラムは、少なくとも一台がシールイン回路に接続されている複数の開閉器と、前記複数の開閉器及び前記開閉器以外の機器のそれぞれに供給される制御用の電流を、主幹電流として供給する制御電源と、を有した電気所において、前記複数の開閉器の動作を一括監視する情報処理装置に、前記主幹電流の測定値を取得する電流取得ステップと、前記主幹電流の変化率が、第１時間から第２時間までの間において上昇し、前記第２時間から第３時間までの間において下降し、前記第３時間から再度上昇している制御状態であるかを判定し、前記制御状態と判定した場合に、前記第１時間から前記第３時間までの間において前記シールイン回路に前記主幹電流が供給されたと判断する判定ステップと、前記判定ステップにおいて前記制御状態と判断した場合に、前記第３時間からの前記主幹電流の波形に基づき波形処理を実行して、前記開閉器の動作状態を判定するための電流波形を抽出する波形処理ステップと、を実行させる。
【発明の効果】
【００１５】
本発明によれば、複数の開閉器の動作を一括監視する際に、シールイン回路に接続されている開閉器が設けられている場合でも、その開閉器の動作を適切に監視することができる。
【図面の簡単な説明】
【００１６】
【図１】図１は、本実施形態に係る配電システムの構成を示す模式図である。
【図２】図２は、シールイン回路が接続されていない開閉器の制御電流波形の一例を示すグラフである。
【図３】図３は、シールイン回路が接続されている開閉器の制御電流波形の一例を示すグラフである。
【図４】図４は、本実施形態に係る開閉器一括監視装置の模式的なブロック図である。
【図５】図５は、波形処理部が抽出した電流波形の一例を示すグラフである。
【図６】図６は、開閉器一括監視装置の波形処理フローを説明するフローチャートである。
【図７】図７は、制御電流判断部による制御電流の波形であるかの判断フローを説明するフローチャートである。
【図８】図８は、開閉器の他の例を示す模式図である。
【発明を実施するための形態】
【００１７】
以下に添付図面を参照して、本発明の好適な実施形態を詳細に説明する。なお、この実施形態により本発明が限定されるものではなく、また、実施形態が複数ある場合には、各実施例を組み合わせて構成するものも含むものである。
【００１８】
（配電システムの全体構成）
図１は、本実施形態に係る配電システムの構成を示す模式図である。図１に示すように、本実施形態に係る配電システム１００は、直流電源装置１０と、分電盤１２と、分電盤１４と、遠制装置１６と、開閉器１８と、開閉器２０と、機器２２と、開閉器一括監視装置２４と、遠隔監視制御装置２６とを有する。配電システム１００は、直流電源装置１０から、電力系統を構成する配電線上に設けられた開閉器１８、２０及び機器２２に、制御用の電流を一括で供給して、開閉器１８、２０、及び機器２２を動作させるシステムである。また、配電システム１００は、開閉器一括監視装置２４により、開閉器１８、２０に供給される制御用の電流（制御電流）の波形を記録して、複数の開閉器を一括監視する。なお、図１の例では、配電システム１００には、２つの開閉器１８、２０のみが記載されているが、開閉器の数は、複数であれば任意であり、３つ以上設けられていてもよい。また、機器２２は、開閉器（遮断器）以外の機器であり、図１の例では１つであるが、複数設けられていてもよい。この場合、機器は、開閉器（遮断器）以外の機器であれば、その機能も任意である。
【００１９】
配電システム１００は、直流電源装置１０と、分電盤１２と、分電盤１４と、遠制装置１６と、開閉器１８、２０と、機器２２と、開閉器一括監視装置２４とが、電気所１１０に設けられ、遠隔監視制御装置２６が、制御所１２０に設けられている。電気所１１０は、例えば発電所や変電所などの電気所設備である。また、制御所１２０は、例えば給電所などであり、電気所１１０から離れた場所に設けられる設備である。
【００２０】
制御電源としての直流電源装置１０は、電気所１１０に設けられた開閉器及び機器（図１の例では開閉器１８、２０及び機器２２）に対し、それらの開閉器及び機器を制御するための制御電流（制御用の電流）と、それらの開閉器及び機器を実際に操作するための操作電流（操作用の電流）とを供給する直流電源である。つまり、直流電源装置１０は、各機器に供給する制御電流を一括して生成する制御電源と、各機器に供給する操作電流を一括して生成する操作電源と、を備えている。尚、本実施の形態に限定されず、制御電源と操作電源とは、個別の直流電源装置に設けられていてもよい。
【００２１】
図１に示すように、直流電源装置１０は、整流器３０と、蓄電池３２と、供給母線３４と、配線用遮断器３６、３７、３８と、操作電源出力端子４０と、制御電源出力端子４２と、電源出力端子４３と、電流測定部Ｓ１、Ｓ２とを有する。整流器３０は、供給母線３４の電源側に設けられ、交流電源からの交流電流を直流電流に変換する。蓄電池３２は、供給母線３４の電源側に設けられ、整流器３０から出力される直流電流を充電する。供給母線３４は、整流器３０からの直流電流が流れる電線である。配線用遮断器３６は、整流器３０と供給母線３４とを接続する配線上に設けられる配線用遮断器（ＭＣＣＢ；Molded Case Circuit Breaker）である。
【００２２】
配線用遮断器３７は、供給母線３４と操作電源出力端子４０とを接続する配線上に設けられる配線用遮断器である。配線用遮断器３７は、供給母線３４に供給されている直流電流の一部を分岐して、操作電源出力端子４０に主幹電流Ｉ２として供給する。操作電源出力端子４０は、配線用遮断器３７を介して供給母線３４と接続されており、主幹電流Ｉ２が入力される。操作電源出力端子４０は、分電盤１２に主幹電流Ｉ２を出力する。なお、主幹電流Ｉ２は、開閉器１８、２０及び機器２２用の操作電流を含む。すなわち、開閉器１８、２０及び機器２２は、主幹電流Ｉ２から分岐された電流を、それぞれの操作電流として取得している。言い換えれば、直流電源装置１０は、各機器の操作電流を、主幹電流Ｉ２として一括で供給している。なお、主幹電流Ｉ２は、最大値が後述する主幹電流Ｉ１より大きい。
【００２３】
配線用遮断器３８は、供給母線３４と制御電源出力端子４２とを接続する配線上に設けられる配線用遮断器である。配線用遮断器３８は、供給母線３４に供給されている直流電流の一部を分岐して、制御電源出力端子４２に主幹電流Ｉ１として供給する。制御電源出力端子４２は、配線用遮断器３８を介して供給母線３４と接続されており、主幹電流Ｉ１が入力される。制御電源出力端子４２は、分電盤１４に主幹電流Ｉ１を出力する。なお、主幹電流Ｉ１は、開閉器１８、２０及び機器２２用の制御電流を含む。すなわち、開閉器１８、２０及び機器２２は、主幹電流Ｉ１から分岐された電流を、それぞれの制御電流として取得している。言い換えれば、直流電源装置１０は、各機器の制御電流を、主幹電流Ｉ１として一括で供給している。
【００２４】
電源出力端子４３は、配線用遮断器を介して供給母線３４と接続されている。電源出力端子４３は、予備の出力端子であり、１つであっても複数であってもよく、未使用であるが必要に応じて使用（他の設備に接続）してもよい。
【００２５】
電流測定部Ｓ１は、供給母線３４と制御電源出力端子４２とを接続する配線上であって、配線用遮断器３８と制御電源出力端子４２との間に設けられる。電流測定部Ｓ１は、主幹電流Ｉ１を測定するセンサであり、本実施形態では、クランプ式電流変成器である。電流測定部Ｓ１は、所定の時間毎に、主幹電流Ｉ１の電流値を測定する。電流測定部Ｓ１は、主幹電流Ｉ１の測定値（測定データ）を、開閉器一括監視装置２４に送信する。なお、電流測定部Ｓ１は、分電盤１４よりも上流側に設けられ、分電盤１４で開閉器１８、２０及び機器２２のそれぞれの制御電流に分岐する前の主幹電流Ｉ１を測定するものであれば、設置位置及び電流測定の方式は任意である。
【００２６】
電流測定部Ｓ２は、供給母線３４と操作電源出力端子４０とを接続する配線上であって、配線用遮断器３７と操作電源出力端子４０との間に設けられる。電流測定部Ｓ２は、主幹電流Ｉ２を測定するセンサであり、本実施形態では、クランプ式電流変成器である。電流測定部Ｓ２は、所定の時間毎に、主幹電流Ｉ２の電流値を測定する。電流測定部Ｓ２は、主幹電流Ｉ２の測定値（測定データ）を、開閉器一括監視装置２４に送信する。なお、電流測定部Ｓ２は、分電盤１２よりも上流側に設けられ、分電盤１２で開閉器１８、２０及び機器２２のそれぞれの操作電流に分岐する前の主幹電流Ｉ２を測定するものであれば、設置位置及び電流測定の方式は任意である。
【００２７】
分電盤１２は、直流電源装置１０の操作電源出力端子４０を介して供給される主幹電流Ｉ２を、操作電流として各機器（開閉器１８、２０及び機器２２）に分配する受電設備である。分電盤１２は、操作電源母線４６と、操作電源入力端子４８と、操作電源出力端子４９とを有する。操作電源入力端子４８は、直流電源装置１０の操作電源出力端子４０に接続され、操作電源出力端子４０から主幹電流Ｉ２が入力される。操作電源母線４６は、操作電源入力端子４８に接続される配電線である。操作電源母線４６は、操作電源入力端子４８からの主幹電流Ｉ２を、各機器用の複数の操作電流に分岐（分配）する。操作電源出力端子４９は、複数設けられ、それぞれが操作電源母線４６に接続される。操作電源出力端子４９は、主幹電流Ｉ２から分岐された操作電流がそれぞれ入力される。操作電源出力端子４９のうちの１つは、操作配電線Ｐ０を介して、後述する開閉器１８の投入回路７３に接続され、操作配電線Ｐ０を介して、投入回路７３に操作電流を出力する。また、図示は省略するが、他の操作電源出力端子４９は、開閉器１８以外の機器（開閉器２０や機器２２）にそれぞれ接続され、それぞれに操作電流を供給する。
【００２８】
分電盤１４は、直流電源装置１０の制御電源出力端子４２を介して供給される主幹電流Ｉ１を、制御電流として各機器（開閉器１８、２０及び機器２２）に分配する受電設備である。分電盤１４は、制御電源母線５０と、制御電源入力端子５２と、制御電源出力端子５４とを有する。制御電源入力端子５２は、直流電源装置１０の制御電源出力端子４２に接続され、制御電源出力端子４２から主幹電流Ｉ１が入力される。制御電源母線５０は、制御電源入力端子５２に接続される配電線である。制御電源母線５０は、制御電源入力端子５２からの主幹電流Ｉ１を、各機器用の複数の制御電流に分岐（分配）する。制御電源出力端子５４は、複数設けられ、それぞれが制御電源母線５０に接続される。制御電源出力端子５４は、主幹電流Ｉ１から分岐された制御電流がそれぞれ入力される。制御電源出力端子５４のうちの１つは、制御配電線Ｐ１を介して、後述する開閉器１８の投入制御回路７０、引き外し回路７１、シールイン回路７２に接続され、制御配電線Ｐ１を介して、それらの各回路に制御電流を出力する。また、図示は省略するが、他の制御電源出力端子５４は、開閉器１８以外の機器（開閉器２０や機器２２）にそれぞれ接続され、それぞれに制御電流を供給する。
【００２９】
遠制装置１６は、遠隔制御装置であり、遠隔監視制御装置２６と通信可能に接続され、遠隔監視制御装置２６の子局として機能する。具体的には、遠制装置１６は、遠隔監視制御装置２６からの開閉器１８を含めた複数の開閉器に向けた投入指令又は引外し指令を所定の伝送手順により受信して、各指令に応じた信号を開閉器に送信する機能を有する。尚、所定の伝送手順としては、情報を定周期で送受信するＣＤＴ（Cyclic Data Transfer）方式、イベント情報が発生する度に送受信するＨＤＬＣ(High level Data Link Control)方式等が採用される。
【００３０】
遠制装置１６は、電源入力端子５６と、制御用継電器５８と、選択用継電器６０と、投入指令出力端子６２と、制御用継電器６４と、選択用継電器６６と、引き外し指令出力端子６８とを有する。
【００３１】
電源入力端子５６は、分電盤１４の制御電源出力端子５４のうちの１つに接続される。制御用継電器５８は、遠隔監視制御装置２６から受信した投入指令に基づいて、複数の開閉器の中でいずれか一つの開閉器を投入する（閉動作させる）際に励磁される。選択用継電器６０は、複数設けられ、遠隔監視制御装置２６から受信した投入指令に基づいて、複数の開閉器の中で投入操作（閉動作）を行う開閉器を選択する。投入指令出力端子６２は、複数の選択用継電器６０毎に対応づけられて設けられ、選択用継電器６０により選択された開閉器の投入制御回路７０に向けて投入指令（閉動作指令）を出力する。なお、制御用継電器５８及び複数の選択用継電器６０は、対応する継電器が励磁された場合に連動して閉じる主接点及び補助接点を有する。
【００３２】
制御用継電器６４は、遠隔監視制御装置２６から受信した引き外し指令に基づいて、複数の開閉器の中でいずれか一つの開閉器を遮断する（開動作させる）際に励磁される。選択用継電器６６は、複数設けられ、遠隔監視制御装置２６から受信した引き外し指令に基づいて、複数の開閉器の中で引外し操作（開動作）を行う開閉器を選択する。引き外し指令出力端子６８は、複数の選択用継電器６６毎に対応づけられて設けられ、選択用継電器６６により選択された開閉器の引き外し回路７１に向けて引外し指令（閉動作指令）を出力する。なお、制御用継電器６４及び複数の選択用継電器６６は、対応する継電器が励磁された場合に連動して閉じる主接点及び補助接点を有する。
【００３３】
開閉器１８は、高圧及び特別高圧向けの電線路（送電線又は配電線）に流れる電流の開閉を行う開閉器であり、真空遮断器、ガス遮断器、空気遮断器、磁気遮断器等の種類がある。開閉器１８は、シールイン回路７２が接続された間接遮断方式の開閉器である。開閉器１８は、投入制御回路７０と、引き外し回路７１と、シールイン回路７２と、投入回路７３とを有する。投入制御回路７０と、引き外し回路７１と、シールイン回路７２とは、制御配電線Ｐ１にそれぞれ並列に接続されており、分電盤１４から制御配電線Ｐ１に供給された制御電流により動作する。投入回路７３は、操作配電線Ｐ０に接続されており、分電盤１２から操作配電線Ｐ０に供給された操作電流により動作する。このため、開閉器１８は、電源系統として２系統有している。
【００３４】
投入制御回路７０は、投入動作（閉動作）を制御するための回路である。投入制御回路７０は、接点７０Ａと、投入ロック端子７０Ｂと、遮断器投入制御コイル７０Ｃと、接点７０Ｄとを有する。接点７０Ａは、投入制御回路７０の最も制御配電線Ｐ１側に配置される接点である。投入ロック端子７０Ｂは、接点７０Ａに直列に接続され、接点７０Ａよりも制御配電線Ｐ１と反対側に配置されている。遮断器投入制御コイル７０Ｃは、接点７０Ａ及び投入ロック端子７０Ｂに直列に接続され、投入ロック端子７０Ｂよりも制御配電線Ｐ１と反対側に配置されている。接点７０Ｄは、接点７０Ａ、投入ロック端子７０Ｂ及び遮断器投入制御コイル７０Ｃに直列に接続され、遮断器投入制御コイル７０Ｃよりも制御配電線Ｐ１と反対側に配置されている。また、接点７０Ａと投入ロック端子７０Ｂとの間には、遠制装置１６の投入指令出力端子６２からの配線が接続されている。ただし、以上の投入制御回路７０の構成は一例であり、投入動作（閉動作）を制御可能な回路であればよい。例えば、投入ロック端子７０Ｂは設けられていなくてもよく、また例えば、遠制装置１６の投入指令出力端子６２からの配線は、投入ロック端子７０Ｂと遮断器投入制御コイル７０Ｃとの間に接続されていてもよい。
【００３５】
引き外し回路７１は、引き外し動作（開動作）を行うための回路である。引き外し回路７１は、接点７１Ａ１、７１Ａ２と、トリップロック端子７１Ｂと、遮断器引き外しコイル７１Ｃと、接点７１Ｄとを有する。接点７１Ａ１は、引き外し回路７１の最も制御配電線Ｐ１側に配置される接点である。接点７１Ａ２は、接点７１Ａ１に直列に接続され、接点７１Ａ１よりも制御配電線Ｐ１と反対側に配置されている。トリップロック端子７１Ｂは、接点７１Ａ１、７１Ａ２に直列に接続され、接点７１Ａ２よりも制御配電線Ｐ１と反対側に配置されている。遮断器引き外しコイル７１Ｃは、接点７１Ａ１、７１Ａ２及びトリップロック端子７１Ｂに直列に接続され、トリップロック端子７１Ｂよりも制御配電線Ｐ１と反対側に配置されている。接点７１Ｄは、接点７１Ａ１、７１Ａ２、トリップロック端子７１Ｂ及び遮断器引き外しコイル７１Ｃに直列に接続され、遮断器引き外しコイル７１Ｃよりも制御配電線Ｐ１と反対側に配置されている。また、接点７１Ａ２とトリップロック端子７１Ｂとの間には、遠制装置１６の引き外し指令出力端子６８からの配線が接続されている。ただし、以上の引き外し回路７１の構成は一例であり、引き外し動作（開動作）を行うことが可能な回路であればよい。例えば、遠制装置１６の引き外し指令出力端子６８からの配線は、トリップロック端子７１Ｂと遮断器引き外しコイル７１Ｃとの間に接続されていてもよい。
【００３６】
シールイン回路７２は、引き外し回路７１の接点７１Ａ１、７１Ａ２を閉じて引き外し回路７１に引き外し動作を行わせるための回路である。シールイン回路７２は、接点７２Ｘ１、７２Ｘ２、７２Ｙ１、７２Ｙ２と、リレー７２Ａ１、７２Ａ２、７２Ｂ１、７２Ｂ２と、トリップロック端子７２Ｄと、接点７２Ｅとを有する。接点７２Ｘ１は、シールイン回路７２の最も制御配電線Ｐ１側に配置される接点である。接点７２Ｘ２は、接点７２Ｘ１に直列に接続され、接点７２Ｘ１よりも制御配電線Ｐ１と反対側に配置されている。接点７２Ｘ２は、接点７２Ｘ１のフェイルセーフ用の接点である。接点７２Ｙ１は、接点７２Ｘ１、７２Ｘ２と並列に制御配電線Ｐ１に接続される接点である。接点７２Ｙ２は、接点７２Ｙ１と直列に接続され、接点７２Ｙ１よりも制御配電線Ｐ１と反対側に配置されている。すなわち、接点７２Ｙ１、７２Ｙ２は、接点７２Ｘ１、７２Ｘ２と並列に接続されている。リレー７２Ａ１は、接点７２Ｘ１、７２Ｘ２及び接点７２Ｙ１、７２Ｙ２に直列に接続されており、接点７２Ｘ２、７２Ｙ２よりも制御配電線Ｐ１と反対側に配置されている。リレー７２Ａ２は、コイル７２Ａ１よりも制御配電線Ｐ１と反対側に配置され、リレー７２Ａ１に直列に接続されている。トリップロック端子７２Ｄは、コイル７２Ａ２よりも制御配電線Ｐ１と反対側に配置され、コイル７２Ａ２に直列に接続されている。接点７２Ｅは、トリップロック端子７２Ｄよりも制御配電線Ｐ１と反対側に配置され、トリップロック端子７２Ｄに直列に接続されている。リレー７２Ｂ１とリレー７２Ｂ２とは、直列に接続されている。リレー７２Ｂ１とリレー７２Ｂ２とは、リレー７２Ａ１、７２Ａ２が接続されている回路とは電気的に接続されておらず、リレー７２Ａ１、７２Ａ２の励磁により励磁される。
【００３７】
投入回路７３は、実際に投入動作（閉動作）を行うための回路である。投入回路７３は、操作配電線Ｐ０に接続されており、接点７３Ａと投入コイル７３Ｃとを有する。接点７３Ａは、投入回路７３の最も操作配電線Ｐ０側に配置される接点である。投入コイル７３Ｃは、接点７３Ａに直列に接続され、接点７３Ａよりも操作配電線Ｐ０と反対側に配置されている。ただし、以上の投入回路７３の構成は一例であり、投入動作（閉動作）を行うことが可能な回路であればよい。
【００３８】
開閉器２０は、開閉器１８とは異なり、シールイン回路７２を有していない開閉器である。開閉器２０は、投入制御回路７０と、引き外し回路７１と、投入回路７３とを有しているが、例えば引き外し回路７１の接点７１Ａ１、７１Ａ２が、手動で開閉可能なものになっている。開閉器２０は、開閉器１８とは別の操作配電線Ｐ０及び制御配電線Ｐ１に接続されている。このように、配電システム１００は、シールイン回路７２を有する開閉器１８と、シールイン回路７２を有さない開閉器２０とを備えている。ただし、配電システム１００は、複数の開閉器を備えており、その開閉器の少なくとも１台がシールイン回路７２を有しているものであれば、開閉器の数は任意である。
【００３９】
機器２２は、開閉器以外の機器であり、開閉器１８、２０とは別の操作配電線Ｐ０及び制御配電線Ｐ１に接続されている。機器２２は、定常的に一定の制御電流が入力されることで、所定の動作を行っている。
【００４０】
開閉器一括監視装置２４は、各開閉器（図１の例では、開閉器１８、２０）の動作を一括監視する装置である。開閉器一括監視装置２４は、電流測定部Ｓ１、Ｓ２が測定した主幹電流Ｉ１、Ｉ２の測定値に基づき、制御電流の波形を記録することで、開閉器の動作を監視する。主幹電流Ｉ１は、各開閉器及び機器の制御電流が分岐される前の一括された電流であるため、この主幹電流Ｉ１の波形を測定、記録することで、全ての開閉器の動作を一括して監視することができる。開閉器一括監視装置２４の構成については、後述する。
【００４１】
配電システム１００は、以上説明したような構成となっている。
【００４２】
（開閉器の操作）
次に、開閉器１８の投入動作（閉動作）及び引き外し動作（開動作）について説明する。最初に、投入動作について説明する。開閉器１８は、投入制御回路７０に制御電流が入力されると、投入動作（閉動作）を行う。投入制御回路７０は、例えば手動で接点７０Ａが閉じられることで、遮断器投入制御コイル７０Ｃに制御配電線Ｐ１からの制御電流が供給される。遮断器投入制御コイル７０Ｃは、制御電流が供給されると励磁され、投入回路７３の接点７３Ａを閉じる。投入回路７３は、接点７３Ａが閉じると、投入電流が投入コイル７３Ｃに供給される。投入コイル７３Ｃは、投入電流により励磁され、駆動力を、開閉器１８の図示しないリンク機構に伝達する。また、開閉器１８には、図示しない遮断部が設けられており、遮断部は、絶縁ケース内に可動接触子と固定接触子とが設けられている。リンク機構は、投入コイル７３Ｃからの駆動力を、図示しない絶縁操作ロッドなどを介して、遮断部の可動接触子に伝えて、可動接触子を固定接触子に接触させる。これにより、開閉器１８は、投入（閉）状態となる。また、投入制御回路７０は、遠制装置１６の投入指令出力端子６２から、投入用の電流が入力された際にも、同様に遮断器投入制御コイル７０Ｃに電流を入力して、投入回路７３の接点７３Ａを閉じることにより、投入動作（閉動作）を行う。投入動作が完了すると、接点７０Ｄが開いて、遮断器投入制御コイル７０Ｃへの電流の入力が停止される。
【００４３】
次に、引き外し動作について説明する。開閉器１８は、シールイン回路７２に制御電流が入力されると、引き外し回路７１の接点７１Ａ１、７１Ａ２を閉じて、引き外し回路７１に引き外し動作（開動作）を行わせる。シールイン回路７２は、例えば地絡事故や短絡事故などの異常を検出した場合に、自動で接点７２Ｘ１、７２Ｘ２を閉じる。これにより、シールイン回路７２には、制御配電線Ｐ１からの制御電流が入力される。シールイン回路７２は、これにより接点７２Ｙ１、７２Ｙ２が閉じて、自己保持状態となる。接点７２Ｘ１、７２Ｘ２又は接点７２Ｙ１、７２Ｙ２が閉じると、制御配電線Ｐ１からの制御電流がリレー７２Ａ１、７２Ａ２に入力される。リレー７２Ａ１、７２Ａ２は、制御電流によりコイルが励磁され、引き外し回路７１の接点７１Ａ１、７１Ａ２を閉じる。
【００４４】
引き外し回路７１は、接点７１Ａ１、７１Ａ２が閉じられると、遮断器引き外しコイル７１Ｃに制御配電線Ｐ１からの制御電流が供給される。遮断器引き外しコイル７１Ｃは、制御電流が供給されると励磁され、駆動力を、開閉器１８のリンク機構に伝達する。リンク機構は、遮断器引き外しコイル７１Ｃからの駆動力を、絶縁操作ロッドなどを介して、遮断部の可動接触子に伝えて、可動接触子を固定接触子から引き離す。これにより、開閉器１８は、引き外し（開）状態となる。また、引き外し回路７１は、遠制装置１６の引き外し指令出力端子６８から、引き外し用の電流が入力された際にも、同様に遮断器引き外しコイル７１Ｃに電流を入力して、リンク機構に駆動力を伝えることにより、引き外し動作（開動作）を行う。引き外し動作が完了すると、接点７１Ｄが開いて、遮断器引き外しコイル７１Ｃへの電流の入力が停止される。このように、シールイン回路７２は、主幹電流Ｉ１が制御電流として供給された場合に、シールイン回路７２に接続された開閉器１８（の引き外し回路７１）の接点７１Ａ１、７１Ａ２を閉じることにより、開閉器１８（の遮断器引き外しコイル７１Ｃ）に主幹電流Ｉ１を供給させて、開閉器１８を開動作させる。
【００４５】
（制御電流の波形）
次に、制御電流の波形について説明する。配電システム１００は、開閉器一括監視装置２４が、制御電流の波形を記録する。具体的には、開閉器一括監視装置２４は、電流測定部Ｓ１が計測した主幹電流Ｉ１の波形を記録する。上述のように、主幹電流Ｉ１は、制御電流が分岐される前の電流であるため、主幹電流Ｉ１の波形から、制御電流の波形を抽出することができる。
【００４６】
開閉器１８、２０が動作していない場合には、主幹電流Ｉ１は、機器２２の制御電流のみが流れている。機器２２の制御電流は、常時一定量の変化が少ない定常電流であるため、開閉器１８、２０が動作していない場合には、主幹電流Ｉ１は、変化が少ない定常電流の波形となる。一方、開閉器１８、２０が投入動作又は引き外し動作をしている場合、開閉器１８、２０に制御電流が流れるため、主幹電流Ｉ１の波形は、開閉器１８、２０の制御電流の分、大きく変化する。開閉器一括監視装置２４は、このように主幹電流Ｉ１の波形が変化した場合に、開閉器１８、２０に制御電流の波形が流れている可能性があると判断して、その主幹電流Ｉ１の波形を記録する。
【００４７】
ここで、開閉器１８は、シールイン回路７２が接続されている。発明者は、シールイン回路７２が接続されている開閉器１８の引き外し動作時の制御電流の波形が、開閉器２０の引き外し動作時の制御電流の波形と異なることを発見した。このように波形が異なると、開閉器１８の制御電流の波形を抽出して記録することが困難となる。それに対し、発明者は、シールイン回路７２が接続されている開閉器１８の制御電流の波形を適切に記録する方法を想起した。以下、波形の違いについて説明する。
【００４８】
図２は、シールイン回路が接続されていない開閉器の制御電流波形の一例を示すグラフである。さらに詳しくは、図２は、開閉器２０の引き外し動作が行われている際の主幹電流Ｉ１の波形を示している。図２の横軸は時間であり、縦軸の左側が電流（Ａ）であり、縦軸の右側が電流の変化率（％）である。図２の線分Ｌ１は、時間毎の主幹電流Ｉ１の値を示しており、図２の線分Ｌ２は、時間毎の主幹電流Ｉ１の変化率を示している。なお、線分Ｌ２に示す変化率は、複数のサンプリング点（ここでは５サンプリング）の移動平均で算出した値である。なお、ここでの変化率は、電流測定部Ｓ１が直前のタイミングで測定した主幹電流Ｉ１の測定値に対する主幹電流Ｉ１の測定値の差分値の比率である。
【００４９】
図２に示すように、時間ｔ１より前では、主幹電流Ｉ１は、変化率が０に近い定常電流となっている。すなわち、時間ｔ１より前には、開閉器２０が動作しておらず、機器２２にのみ制御電流が供給されている。時間ｔ１から時間ｔ２までは、時間経過に従い、電流の変化率が上昇しながら主幹電流Ｉ１の値が上昇している。そして、時間ｔ２から時間ｔ３までは、時間経過に従い、電流の変化率が下降しているが、時間ｔ３においても、電流の変化率は０より大きい。従って、時間ｔ２から時間ｔ３までは、時間経過に伴い、主幹電流Ｉ１の値の上昇は続くが、上昇率が時間ｔ１から時間ｔ２までより小さくなっている。時間ｔ３から時間ｔ４までは、時間経過に伴い、電流の変化率が再度上昇しながら、主幹電流Ｉ１の値が上昇している。また、時間ｔ４から時間ｔ５までは、時間経過に伴い、電流の変化率が下降し、時間ｔ５で電流の変化率が０となる。従って、時間ｔ４から時間ｔ５までは、時間経過に伴い、主幹電流Ｉ１の値の上昇は続くが、上昇率が時間ｔ３から時間ｔ４までより小さくなっている。時間ｔ５から時間ｔ６までは、時間経過に伴い、電流の変化率が０から下降しており、主幹電流Ｉ１の値が下降する。ただし、時間ｔ６においても、主幹電流Ｉ１の値は、定常電流（時間ｔ１より前）での値より大きい。時間ｔ６から時間ｔ７までは、電流の変化率がマイナスから上昇し、時間ｔ７において０となる。時間ｔ６から時間ｔ７までにおいて、主幹電流Ｉ１は、下降を続けるが、時間ｔ５から時間ｔ６までの下降率より小さい。そして、主幹電流Ｉ１は時間ｔ７において、定常電流の値となる。時間ｔ７以降は、電流の変化率が０に近いままとなり、主幹電流Ｉ１も定常電流のままとなる。
【００５０】
図２においては、時間ｔ１において開閉器２０（引き外し回路７１）への制御電流の供給が開始しており、時間ｔ５において開閉器２０の引き外し動作が完了している。そして、時間ｔ５以降は、引き外し回路７１の接点のアーク抵抗により制御電流が減少していき、時間ｔ７で開閉器２０（引き外し回路７１）への制御電流の供給が終了している。開閉器一括監視装置２４は、主幹電流Ｉ１の波形がこのような波形である場合に、時間ｔ１から時間ｔ５までの間が、開閉器２０に引き外し動作のための制御電流の供給が開始されてから、開閉器２０が動作し、開閉器２０の動作が完了するまでの開閉器動作時間であると判断する。すなわち、開閉器一括監視装置２４は、このような波形の場合、時間ｔ１から開閉器２０（引き外し回路７１）への制御電流の供給が開始し、時間ｔ５で開閉器２０の動作が終了したと判断する。
【００５１】
また、線分Ｌ１を参照すると、主幹電流Ｉ１は、時間ｔ１から時間ｔ７までの間の波高値（定常電流を差し引いた相対電流波形）が、１Ａ以上（通常は５Ａ程度）であることが分かる（第１の特性）。また、主幹電流Ｉ１が開閉器２０の制御電流波形となる時間長さ、すなわち時間ｔ１から時間ｔ５までの長さは、比較的短時間（例えば１秒未満）であることが分かる（第２の特性）。また、時間ｔ１から時間ｔ５の間のように、遮断器の引き外し動作が開始されると同時に、Ｌ／Ｒの時定数をもって主幹電流Ｉ１が上昇することが分かる（第３の特性）。また、時間ｔ５から時間ｔ７の間のように、動作終了時のアーク抵抗により、主幹電流Ｉ１が急減することが分かる（第４の特性）。また、時間ｔ３近傍に示すように、主幹電流Ｉ１が時定数をもって上昇する際に、電流の変化率（上昇率）が、一旦急変することが分かる（第５の特性）。そして、電流の変化率は、時間ｔ２と時間ｔ４とで、合計２回の正のピーク値をとることが分かる。
【００５２】
図３は、シールイン回路が接続されている開閉器の制御電流波形の一例を示すグラフである。さらに詳しくは、図３は、開閉器１８の引き外し動作が行われている際の主幹電流Ｉ１の波形を示している。図３の線分Ｌ３は、時間毎の主幹電流Ｉ１の値を示しており、線分Ｌ４は、時間毎の主幹電流Ｉ１の変化率を示している。なお、線分Ｌ４に示す変化率は、複数のサンプリング点（ここでは５サンプリング）の移動平均で算出した値である。
【００５３】
図３に示すように、時間ｔ１１（第１時間）より前では、主幹電流Ｉ１は、変化率が０に近い定常電流（電流値Ｂ１）となっている。すなわち、時間ｔ１１より前には、開閉器１８が動作しておらず、機器２２にのみ制御電流が供給されている。時間ｔ１１から時間ｔ１１Ａ（第２時間）までは、時間経過に従い、電流の変化率が上昇しながら主幹電流Ｉ１の値が上昇している。そして、時間ｔ１１Ａから時間ｔ１１Ｂ（第３時間）までにおいては、電流の変化率が下降して０となり、時間ｔ１１Ｂまで０のままとなっている。従って、時間ｔ１１から時間ｔ１１Ｂまでにおいては、主幹電流Ｉ１の値がわずかに上昇した後、一定となる。時間ｔ１１Ｂにおける電流値Ｂ２は、電流値Ｂ１より大きい。
【００５４】
図３に示すように、時間ｔ１１Ｂ以降の電流の変化率の波形は、図２に示す時間ｔ１以降の電流の変化率の波形と同様の傾向となる。すなわち、時間ｔ１１Ｂから時間ｔ１２までは、時間経過に従い、電流の変化率が上昇しながら主幹電流Ｉ１の値が電流値Ｂ１から上昇している。そして、時間ｔ１２から時間ｔ１３までは、時間経過に従い、電流の変化率が下降しているが、時間ｔ１３においても、電流の変化率は０より大きい。時間ｔ１２から時間ｔ１３までは、時間経過に伴い、主幹電流Ｉ１の値の上昇は続くが、上昇率が時間ｔ１１から時間ｔ１２までより小さくなっている。時間ｔ１３から時間ｔ１４までは、時間経過に伴い、電流の変化率が再度上昇しながら、主幹電流Ｉ１の値が上昇している。また、時間ｔ１４から時間ｔ１５までは、時間経過に伴い、電流の変化率が下降し、時間ｔ１５で電流の変化率が０となる。従って、時間ｔ１４から時間ｔ１５までは、時間経過に伴い、主幹電流Ｉ１の値の上昇は続くが、上昇率が時間ｔ１３から時間ｔ１４までより小さくなっている。時間ｔ１５から時間ｔ１６までは、時間経過に伴い、電流の変化率が０から下降しており、主幹電流Ｉ１の値が下降する。ただし、時間ｔ１６においても、主幹電流Ｉ１の値は、定常電流（時間ｔ１１より前）での値より大きい。時間ｔ１６から時間ｔ１７までは、電流の変化率がマイナスから上昇し、時間ｔ１７において０となる。時間ｔ１６から時間ｔ１７までにおいて、主幹電流Ｉ１は、下降を続けるが、時間ｔ１５から時間ｔ１６までの下降率より小さい。そして、主幹電流Ｉ１は時間ｔ１７において、定常電流の値となる。時間ｔ１７以降は、電流の変化率が０に近いままとなり、主幹電流Ｉ１も定常電流のままとなる。
【００５５】
図３においては、時間ｔ１１においてシールイン回路７２への制御電流の供給が開始し、徐々に電流値が上昇して、時間ｔ１１Ａでシールイン回路７２での制御電流の供給が定常状態となる。そして、時間ｔ１１Ｂにおいて開閉器１８（引き外し回路７１）への制御電流の供給が開始し、時間ｔ１５で開閉器１８の動作が完了する。そして、時間ｔ１５以降は、接点のアーク抵抗により制御電流が減少していき、時間ｔ１７で引き外し回路７１及びシールイン回路７２への制御電流の供給が終了している。このように、開閉器１８の動作時において、主幹電流Ｉ１の変化率は、時間ｔ１１Ａ（第２時間）と、時間ｔ１２と、時間ｔ１４とで、合計３回の正のピーク値をとることが分かる。言い換えれば、開閉器１８が引き外し動作を行う際、主幹電流Ｉ１の変化率は、時間ｔ１１（第１時間）から時間ｔ１１Ａ（第２時間）までの間において上昇し、時間ｔ１１Ａにおいてピーク値となる。そして、主幹電流Ｉ１の変化率は、時間ｔ１１Ａ（第２時間）から時間ｔ１１Ｂ（第３時間）までの間において下降し、時間ｔ１１Ｂにおいて０となる。そして、主幹電流Ｉ１の変化率は、時間ｔ１１Ｂから再度上昇する。
【００５６】
すなわち、開閉器１８に制御電流が流れた場合の主幹電流Ｉ１は、時間ｔ１１から時間ｔ１１Ｂまでのシールイン回路７２の動作開始時において、主幹電流Ｉ１の変化率が１つのピークを有している点で、開閉器２０に制御電流に流れた場合の主幹電流Ｉ１とは異なっている。開閉器１８が引き外し動作をしている時間（開閉器動作時間）は、実際には時間ｔ１１Ｂからｔ１５までの間である。そして、引き外し回路７１の制御電流のピーク値は、時間ｔ１５における主幹電流Ｉ１の最大値である電流値Ｂ３から、時間ｔ１１Ｂにおける電流値Ｂ２を差し引いた値である。しかし、例えば、主幹電流Ｉ１が定常電流から上昇を開始した際に、開閉器１８が引き外し動作を開始したと判断して、主幹電流Ｉ１の波形解析を行うケースを考える。この場合、時間ｔ１１から変化率が上昇しているため、時間ｔ１１から引き外し動作を開始したと判断して、開閉器動作時間を時間ｔ１１から時間ｔ１５までであると誤った解析を行うおそれがある。また、主幹電流Ｉ１のピーク値を、電流値Ｂ３から、時間ｔ１１における電流値Ｂ１（定常電流値）を差し引いた値と判断して、誤った解析を行うおそれがある。
【００５７】
それに対して、開閉器一括監視装置２４は、図３のような波形の場合、時間ｔ１１からｔ１１Ｂまでの間を、シールイン回路７２に制御電流が供給されており引き外し回路７１には制御電流が供給されていないシールイン回路導通時間であると判断する。シールイン回路導通時間は、開閉器１８は引き外し動作を行っていない時間である。さらに言えば、開閉器一括監視装置２４は、主幹電流Ｉ１の変化率が、シールイン回路導通時間において１つのピークを持っていると判断した場合に、時間ｔ１１Ａ（第２時間）からの主幹電流Ｉ１の波形に基づき波形処理を実行して、開閉器１８の動作状態を判定するための開閉器１８の制御電流の波形を抽出する。以下、開閉器一括監視装置２４の構成について説明する。なお、開閉器一括監視装置２４は、時間ｔ１１Ｂからｔ１５までの間を、引き外し回路７１に制御電流が供給されて引き外し動作を行っている開閉器動作時間であると判断してもよい。
【００５８】
（開閉器一括監視装置について）
図４は、本実施形態に係る開閉器一括監視装置の模式的なブロック図である。図４に示すように、開閉器一括監視装置２４は、ＣＰＵ（Central Processing Unit）である制御部８０と、入力部８２と、出力部８４と、記憶部８６とを有するコンピュータ（情報処理装置）である。入力部８２は、例えばマウスやキーボードやタッチパネルであり、作業者からの入力を受け付ける。出力部８４は、例えばディスプレイやタッチパネルの表示部であり、各種情報を出力（表示）する。記憶部８６は、メモリである。制御部８０は、電流取得部９０と、サンプリング部９２と、監視部９３と、主幹電流波形記録部９４と、判定部９６と、波形処理部９８と、制御電流判断部９９とを有する。電流取得部９０と、サンプリング部９２と、監視部９３と、主幹電流波形記録部９４と、判定部９６と、波形処理部９８と、制御電流判断部９９とは、記憶部８６が記憶した開閉器一括監視プログラムを読み込んで制御部８０が実現するソフトウェアのプログラムであるが、例えばそれぞれの機能を実施する専用の装置であってもよい。
【００５９】
電流取得部９０は、電流測定部Ｓ１から主幹電流Ｉ１の測定値を取得し、電流測定部Ｓ２から主幹電流Ｉ２の測定値を取得する。
【００６０】
サンプリング部９２は、電流取得部９０が取得した主幹電流Ｉ１、Ｉ２の測定値を時間毎にサンプリングし、記憶部８６に記憶させる。
【００６１】
監視部９３は、サンプリング部９２がサンプリングした主幹電流Ｉ１、Ｉ２の測定値を監視する。監視部９３は、主幹電流Ｉ１が、所定の変化率Ｋ１以上の変化率で変化（上昇）したかを判定する。監視部９３は、主幹電流Ｉ１の変化率が、変化率Ｋ１以上である場合に、主幹電流波形記録部９４に主幹電流Ｉ１の波形を記録させる。この変化率Ｋ１は、開閉器２０の引き外し回路７１に制御電流が供給された際の立ち上がりの変化率（図２の例では時間ｔ１からの変化率）、及び開閉器１８のシールイン回路７２に制御電流が供給された際の立ち上がりの変化率（図３の例では時間ｔ１１からの変化率）よりも小さな値として設定されている。また、変化率Ｋ１は、機器２２に制御電流が供給されつつ開閉器には制御電流が供給されていない例定常電流における、微小な変化率よりも大きな値となっている。
【００６２】
主幹電流波形記録部９４は、監視部９３によって主幹電流Ｉ１の変化率が変化率Ｋ１以上であると判断されたことをトリガとして、主幹電流Ｉ１の所定時間分（例えば１秒分）の波形を生成、記録する。主幹電流波形記録部９４は、主幹電流Ｉ１の変化率の所定時間分の波形についても、生成、記録する。主幹電流波形記録部９４が記録する主幹電流Ｉ１の波形は、例えば図３に示す線分Ｌ３に相当する。また、主幹電流波形記録部９４が記録する主幹電流Ｉ１の変化率の波形は、例えば図３に示す線分Ｌ４に相当する。
【００６３】
判定部９６は、主幹電流波形記録部９４が記録した主幹電流Ｉ１の変化率の波形を読み出す。判定部９６は、主幹電流Ｉ１の変化率の波形に基づき、主幹電流Ｉ１の変化率が、制御状態であるかを判定する。判定部９６は、主幹電流Ｉ１の変化率が、第１時間から第２時間までの間において上昇し、第２時間から第３時間までの間において下降し、第３時間から再度上昇している場合に、制御状態であると判定する。第１時間、第２時間及び第３時間とは、主幹電流波形記録部９４が記録した波形内における時間であり、第２時間は、第１時間より後の時間であり、第３時間は、第２時間より後の時間である。第１時間は、例えば図３に示す時間ｔ１１に相当し、第２時間は、例えば時間ｔ１１Ａに相当し、第３時間は、例えば時間ｔ１１Ｂに相当する。
【００６４】
判定部９６は、主幹電流Ｉ１の変化率が制御状態であると判定した場合に、第１時間から第３時間までの間においてシールイン回路７２に主幹電流Ｉ１（制御電流）が供給されていると判断する。また、判定部９６は、第３時間から、開閉器１８の引き外し回路７１に主幹電流Ｉ１が制御電流として供給されたと判断してもよい。すなわち、判定部９６は、制御状態であると判定した場合に、その主幹電流Ｉ１の第１時間から第３時間までの波形が、シールイン回路７２に制御電流が供給された場合の波形を含むと判断する。
【００６５】
以下、制御状態の判定方法についてさらに詳述する。判定部９６は、主幹電流Ｉ１の変化率が、第２時間においてピーク値となり、第３時間において０となり、第３時間から再度上昇した場合に、制御状態であると判定する。また、判定部９６は、第１時間から第２時間までの長さ（図３の例における時間ｔ１１から時間ｔ１１Ａまでの長さ）が、所定の時間長さ閾値Ｋ２以下である場合に、制御状態であると判断する。また、判定部９６は、第１時間から第２時間までにおける主幹電流Ｉ１の変化率の最大値、すなわち第２時間におけるピーク値（図３の例では変化率Ａ１）が、所定の変化率閾値Ｋ３以上である場合に、制御状態であると判定する。
【００６６】
時間長さ閾値Ｋ２及び変化率閾値Ｋ３は、予め設定されており、記憶部８６に記憶されている。時間長さ閾値Ｋ２及び変化率閾値Ｋ３は、例えば開閉器１８のシールイン回路７２の性能に基づき設定される。時間長さ閾値Ｋ２及び変化率閾値Ｋ３は、判定部９６が予め設定してもよいし、作業者によって設定されてもよい。時間長さ閾値Ｋ２は、例えば、５ミリ秒であり、２ミリ秒以上５ミリ秒以下であることが好ましい。また変化率閾値Ｋ３は、例えば１０％であり、５％以上２０％以下であることが好ましい。
【００６７】
なお、シールイン回路７２付の開閉器１８が複数ある場合、時間長さ閾値Ｋ２及び変化率閾値Ｋ３は、それぞれの開閉器１８のシールイン回路７２の性能に基づき設定される。時間長さ閾値Ｋ２及び変化率閾値Ｋ３は、開閉器１８が複数ある場合でも共通の値として設定される。ただし、時間長さ閾値Ｋ２及び変化率閾値Ｋ３をそれぞれの開閉器１８毎に設定してもよい。この場合、判定部９６は、ある開閉器１８の時間長さ閾値Ｋ２及び変化率閾値Ｋ３に基づき制御状態であると判定し、他の開閉器１８の時間長さ閾値Ｋ２及び変化率閾値Ｋ３に基づいては制御状態でないと判定することが可能となる。その場合、制御状態であると判定した開閉器１８に制御電流が流れたと判定することが可能となり、主幹電流Ｉ１をサンプリングするだけで、どの開閉器１８が引き外し動作を行っているかを判断することが可能となる。
【００６８】
波形処理部９８は、判定部９６が制御状態であると判断した場合に、第３時間からの主幹電流Ｉ１の波形に基づき、波形処理を実行する。すなわち、判定部９６は、制御状態である場合、第３時間まではシールイン回路７２にのみ電流が供給されており、第３時間から引き外し動作が開始している（引き外し回路７１に制御電流が流れ始めた）可能性があると判断している。従って、波形処理部９８は、第３時間までの波形を除き、第３時間からの主幹電流Ｉ１の波形を用いて、開閉器１８の動作状態を判定するための波形処理を行っている。具体的には、波形処理部９８は、波形処理として、主幹電流Ｉ１の波形のうち、第１時間から第３時間の波形を除いた第３時間以降の主幹電流Ｉ１の波形から、開閉器１８の動作状態を判定するための電流波形を抽出する。さらに詳しくは、波形処理部９８は、第３時間以降の主幹電流Ｉ１の波形から、第３時間における主幹電流の電流値（図３の例では電流値Ｂ２）を差し引いた波形を、電流波形として抽出する。すなわち、波形処理部９８が抽出する電流波形は、主幹電流Ｉ１の波形のうち、第３時間以降の波形を抽出した波形である。また、波形処理部９８が抽出する電流波形は、電流値が、主幹電流Ｉ１の測定値から第３時間における主幹電流Ｉ１の電流値（図３の例では電流値Ｂ２）を差し引いたものとなる。
【００６９】
図５は、波形処理部が抽出した電流波形の一例を示すグラフである。図５の線分Ｌ３Ａに示すように、波形処理部９８が抽出した電流波形は、図３に示す主幹電流Ｉ１の波形である線分Ｌ３に対し、第３時間（時間ｔ１１Ａ）からの波形であり、電流値が、図３の電流値Ｂ２を差し引いた値となっている。
【００７０】
図４に示す制御電流判断部９９は、波形処理部９８が抽出した電流波形に基づき、その電流波形が開閉器１８の制御電流の波形であるかを、より詳しくは開閉器１８の引き外し動作を行っている際の制御電流の波形であるかを、判断する。制御電流判断部９９による判断方法は、後述する。
【００７１】
開閉器一括監視装置２４は、以上のような構成となっている。次に、開閉器一括監視装置による波形処理フローを、フローチャートに基づき説明する。図６は、開閉器一括監視装置の波形処理フローを説明するフローチャートである。図６に示すように、最初に、開閉器一括監視装置２４は、記憶部８６から閾値を読み込む（ステップＳ１０）。閾値とは、上述の変化率Ｋ１、時間長さ閾値Ｋ２及び変化率閾値Ｋ３を指す。閾値を読み込んだ後、開閉器一括監視装置２４は、監視部９３が、主幹電流Ｉ１、Ｉ２の測定値を監視し（ステップＳ１２）、主幹電流Ｉ１が所定の変化率Ｋ１以上で変化（上昇）しているかを判断する（ステップＳ１４）。開閉器一括監視装置２４は、主幹電流Ｉ１が所定の変化率Ｋ１以上で変化していないと判断した場合（ステップＳ１４；Ｎｏ）は、ステップＳ１２に戻り、監視を続ける。開閉器一括監視装置２４は、主幹電流Ｉ１が所定の変化率Ｋ１以上で変化したと判断した場合（ステップＳ１４；Ｙｅｓ）、主幹電流波形記録部９４が、主幹電流Ｉ１の波形を記録する（ステップＳ１６）。
【００７２】
開閉器一括監視装置２４は、主幹電流Ｉ１の波形の記録が終わったら、判定部９６が、主幹電流Ｉ１の波形データから、第１時間から第２時間までの長さと、変化率のピーク値を取得する（ステップＳ１８）。判定部９６は、主幹電流Ｉ１の波形が、変化率が最初に上昇を開始する第１時間から、その後の第２時間までの間において上昇し、第２時間から第３時間までの間において下降し、第３時間から再度上昇しているかを判断する。判定部９６は、主幹電流Ｉ１の波形が上記に該当すると判断した場合に、第１時間から第２時間までの長さを算出し、第１時間から第２時間までにおける変化率の正のピーク値（図３の例では時間ｔ１１Ａにおける変化率Ａ１）を算出する。
【００７３】
第１時間から第２時間までの長さと、その間の変化率のピーク値とを取得したら、開閉器一括監視装置２４は、判定部９６が、第１時間から第２時間までの長さが、時間長さ閾値Ｋ２以下であるかを判断する（ステップＳ２０）。すなわち、判定部９６は、変化率が最初に上昇を開始するタイミングから、変化率がピークとなるタイミングまでの時間が、時間長さ閾値Ｋ２以下であるかを判断する。第１時間から第２時間までの長さが、時間長さ閾値Ｋ２以下でない（時間長さ閾値Ｋ２より長い）と判断した場合（ステップＳ２０；Ｎｏ）、第１時間から第３時間まで間の波形が、シールイン回路７２の制御電流によるものでない（制御状態ではない）として、本処理を終了する。
【００７４】
第１時間から第２時間までの長さが、時間長さ閾値Ｋ２以下であると判断した場合（ステップＳ２０；Ｙｅｓ）、判定部９６は、さらに、第１時間から第２時間までにおける変化率のピーク値が、変化率閾値Ｋ３以上であるか判断する（ステップＳ２２）。判定部９６は、変化率のピーク値が、変化率閾値Ｋ３以上でない（変化率閾値Ｋ３より小さい）と判断した場合（ステップＳ２２；Ｎｏ）、第１時間から第３時間までのピーク波形が、シールイン回路７２の制御電流によるものでない（制御状態ではない）として、本処理を終了する。判定部９６は、変化率のピーク値が、変化率閾値Ｋ３以上であると判断した場合（ステップＳ２２；Ｙｅｓ）、主幹電流Ｉ１の変化率が制御状態であると判断する（ステップＳ２４）。すなわち、判定部９６は、第１時間から第２時間までの長さが短く、かつ、変化率のピーク値が高い場合に、第１時間から第３時間まで間の波形が、シールイン回路７２の制御電流によるものであると判定する。
【００７５】
制御状態であると判断した後、開閉器一括監視装置２４は、波形処理部９８が、主幹電流Ｉ１の波形から、第３時間のタイミング（図３における時間ｔ１１Ｂ）と、第３時間における主幹電流Ｉ１の電流値（図３における電流値Ｂ２）とを取得して（ステップＳ２６）、波形処理を行って電流波形を抽出する（ステップＳ２８）。波形処理部９８は、主幹電流Ｉ１の波形から、第３時間以降の波形であって、主幹電流Ｉ１の電流値から第２時間における主幹電流Ｉ１の電流値（図３の例では電流値Ｂ２）を差し引いた波形を抽出して、電流波形とする。電流波形の抽出により、本処理は終了する。
【００７６】
このように、開閉器一括監視装置２４は、第１時間から第３時間までの主幹電流Ｉ１の波形が所定の条件を満たす場合に、その時間にシールイン回路７２が動作していると判断して、シールイン回路７２の動作時間を除くことで、開閉器の動作状態を判定するための電流波形を抽出している。そして、開閉器一括監視装置２４は、制御電流判断部９９により、この抽出した電流波形に基づき、その電流波形が開閉器２０の制御電流の波形であるかを判断する。以下、制御電流判断部９９の判断処理フローを説明する。
【００７７】
図７は、制御電流判断部による制御電流の波形であるかの判断フローを説明するフローチャートである。図７に示すように、波形処理部９８によって波形処理を行って電流波形が抽出された（ステップＳ２８）後、制御電流判断部９９は、抽出した電流波形における電流値が規定電流値以上であるかを判定する（ステップＳ３０）。制御電流判断部９９は、抽出した電流波形における電流値の最大値が、規定電流値以上であるかを判断するこの規定電流値は、例えば１Ａであり、このステップＳ３０は、電流波形が上述の第１の特性を満たしているかを判断するものである。電流値が規定電流値以上である場合（ステップＳ３０；Ｙｅｓ）、抽出した電流波形における波形初期が、時定数（Ｌ／Ｒ）で上昇しているかを判断する（ステップＳ３２）。このステップＳ３２は、電流波形が上述の第３の特性を満たしているかを判断するものである。波形初期が時定数（Ｌ／Ｒ）で上昇していると判断した場合（ステップＳ３２；Ｙｅｓ）、制御電流判断部９９は、突入電流が発生していないかを確認する（ステップＳ３６）。突入電流とは、電気機器に電源を投入した際に一時的に流れる大電流である。制御電流判断部９９は、配線用遮断器３７の開閉状況に基づき、突入電流が発生しなかったと判断する。突入電流が発生していない場合（ステップＳ３６；Ｙｅｓ）、制御電流判断部９９は、この電流波形が、開閉器２０の制御電流の波形であると判断し、その電流波形を、開閉器２０の制御電流の波形として記録する（ステップＳ３８）。制御電流判断部９９は、制御電流の波形と判断したこの電流波形に基づき、開閉器２０に制御電流が流れた時間や、制御電流のピーク値を算出する。制御電流判断部９９は、この時間やピーク値に基づき、開閉器２０が正常に動作しているかを判断してもよい。また、作業者が、制御電流判断部９９が記録した波形や、算出した時間やピーク値などに基づき、開閉器２０が正常に動作しているかを判断してもよい。ステップＳ３８により、本処理は終了する。
【００７８】
また、ステップＳ３０において、電流波形の電流値が規定電流値以上でないと判断した場合（ステップＳ３０；Ｎｏ）、制御電流波形の判定は困難であるため、制御電流判断部９９は、操作電流用の主幹電流Ｉ２の測定値に基づき、操作電流用の主幹電流Ｉ２が規定電流値以上であるかを確認する（ステップＳ３４）。制御電流判断部９９は、主幹電流Ｉ２から定常電流を差し引いた際の最大電流値が、操作電流として規定された規定電流量（例えば２Ａから５Ａ）以上であるかを確認する。主幹電流Ｉ２が規定電流値以上である場合（ステップＳ３４；Ｙｅｓ）、ステップＳ３６に移る。主幹電流Ｉ２が規定電流値以上でない場合（ステップＳ３４；Ｎｏ）、抽出した電流波形は開閉器１８の制御電流波形でないと判断して、電流波形を記録せずに本処理を終了する。また、ステップＳ３２において電流波形における波形初期が、時定数（Ｌ／Ｒ）で上昇していないと判断した場合（ステップＳ３２；Ｎｏ）と、ステップＳ３６において突入電流があると判断した場合（ステップＳ３６；Ｎｏ）とにおいても、抽出した電流波形は開閉器１８の制御電流波形でないと判断して、電流波形を記録せずに本処理を終了する。
【００７９】
なお、図６の処理において電流波形を抽出しない場合、すなわち、シールイン回路７２に制御電流が流れていないと判断した場合でも、記録している主幹電流Ｉ１の波形を用いてステップＳ３０以降の処理を実行して、その主幹電流Ｉ１の波形が開閉器の制御電流波形であるかを判定して、その波形を記録することも可能である。これにより、シールイン回路７２を有する開閉器１８の制御電流の波形と、シールイン回路７２を有さない開閉器２０の制御電流の波形との、両方を適切に抽出することができる。
【００８０】
以上説明したように、本実施形態に係る開閉器一括監視装置２４は、少なくとも一台がシールイン回路７２に接続されている複数の開閉器（図１の例では開閉器１８、２０）と、制御電源（直流電源装置１０）とを有した電気所１１０において、複数の開閉器の動作を一括監視する。制御電源は、複数の開閉器及び開閉器以外の機器２２のそれぞれに供給される制御電流を、主幹電流Ｉ１として供給する。開閉器一括監視装置２４は、電流取得部９０と、判定部９６と、波形処理部９８とを有する。電流取得部９０は、主幹電流Ｉ１の測定値を取得する。判定部９６は、主幹電流Ｉ１の測定値に基づき、主幹電流Ｉ１の変化率が、第１時間から第２時間までの間において上昇し、第２時間から第３時間までの間において下降し、第３時間から再度上昇している制御状態であるかを判定する。判定部９６は、制御状態と判定した場合に、第１時間から第３時間までの間においてシールイン回路７２に主幹電流Ｉ１が供給されたと判断する。波形処理部９８は、判定部９６が制御状態であると判断した場合に、第３時間からの主幹電流Ｉ１の波形に基づき波形処理を実行して、開閉器１８の動作状態を判定するための電流波形を抽出する。
【００８１】
ここで、シールイン回路７２が接続されている開閉器１８は、主幹電流Ｉ１が制御電流として供給された際、最初にシールイン回路７２を作動させる電流ピークが立ち上がった後、引き外し回路７１に制御電流が流れることで２つ目の電流ピークが立ち上がって、開閉器１８が動作を開始する。例えば、電流ピークが立ち上がったことをトリガとして、開閉器１８が動作を開始したと判断した場合、シールイン回路７２が動作しているが引き外し回路７１は動作していないタイミングにおいても、開閉器１８が動作していると誤って判定してしまうおそれがある。また、主幹電流Ｉ１の電流値は、定常電流と、シールイン回路７２に流れる電流値と、引き外し回路７１に流れる電流値との合計値である。しかし、シールイン回路７２に流れる電流値を把握できず、引き外し回路７１に流れる電流値、すなわち開閉器１８の制御電流の値を、誤って測定してしまうおそれがある。また、主幹電流Ｉ１の波形が制御電流波形であるかの判定を電流値で行う場合に、判定を誤って、制御電流でないと判断したりするおそれもある。このように、シールイン回路７２が接続されている開閉器１８の動作を判定するために主幹電流Ｉ１の波形を用いると、適切に開閉器１８の制御電流の波形を抽出できず、開閉器１８の動作を適切に監視できないおそれがある。
【００８２】
それに対し、本実施形態に係る開閉器一括監視装置２４は、主幹電流Ｉ１の変化率に基づき、変化率が制御状態であるとの条件を満たした場合に、第１時間から第３時間までの間で、シールイン回路７２に主幹電流Ｉ１が流れており、その間には開閉器１８の動作が開始していないと判断する。そして、開閉器１８の動作が開始したと考えられる第３時間からの主幹電流Ｉ１の波形に基づき、開閉器１８の動作状態を判定するための電流波形を抽出する。このように、開閉器一括監視装置２４は、主幹電流Ｉ１の波形に基づいて開閉器１８の制御電流の波形を抽出する際に、シールイン回路７２が作動しているタイミングを適切に検出し、そのタイミングを除いて波形の抽出を行う。従って、開閉器一括監視装置２４は、開閉器１８の制御電流の波形を適切に抽出し、開閉器１８の動作を適切に監視することができる。また、主幹電流Ｉ１の波形を波形処理するだけで、シールイン回路７２を含む開閉器の一括監視ができるため、開閉器の動作を容易に監視することが可能となる。
【００８３】
また、判定部９６は、主幹電流Ｉ１の変化率が、第２時間においてピーク値となり、第３時間において０となり、第３時間から再度上昇した場合に、制御状態であると判定する。開閉器一括監視装置２４は、このような条件を満たした場合に、シールイン回路７２が作動していると判断しているため、シールイン回路７２を含む開閉器１８が動作しているかをより高精度で検出することができる。
【００８４】
また、判定部９６は、第１時間から第２時間までの時間の長さが、所定の時間長さ閾値Ｋ２以下である場合に、制御状態であると判断する。また、判定部９６は、第１時間から第２時間までにおける主幹電流Ｉ１の変化率の最大値が、所定の変化率閾値Ｋ３以上である場合に、制御状態であると判定する。開閉器一括監視装置２４は、このような条件を満たした場合に、シールイン回路７２が作動していると判断しているため、シールイン回路７２を含む開閉器１８が動作しているかをより高精度で検出することができる。
【００８５】
また、波形処理部９８は、判定部９６が制御状態と判断した場合、第３時間からの主幹電流Ｉ１の波形から、第３時間における主幹電流Ｉ１の電流値を差し引いた波形に基づき、波形処理を実行する。この波形処理部９８は、第３時間における主幹電流Ｉ１の電流値、すなわちシールイン回路７２に流れる電流値を差し引いた波形を、動作判断のための電流波形として抽出している。従って、この開閉器一括監視装置２４は、開閉器１８の制御電流の波形をより高精度に抽出して、開閉器１８の動作を適切に監視することができる。
【００８６】
また、開閉器一括監視装置２４は、電流取得部９０が取得した主幹電流Ｉ１が所定の変化率Ｋ１以上であるかを検出する監視部９３と、監視部９３が所定の変化率Ｋ１以上であると検出した場合に、主幹電流Ｉ１の波形を記録する主幹電流波形記録部９４と、を更に有する。判定部９６は、この主幹電流Ｉ１の波形に基づき、制御状態であるかを判定する。この開閉器一括監視装置２４は、主幹電流Ｉ１が所定の変化をした場合に主幹電流Ｉ１の波形の記録を行い、その主幹電流Ｉ１の波形に基づき、シールイン回路７２に電流が流れているかを判断する。従って、この開閉器一括監視装置２４は、シールイン回路７２に電流が流れているかを、容易にかつ正確に判断することができ、開閉器の動作を容易に監視することが可能となる。
【００８７】
また、シールイン回路７２は、主幹電流Ｉ１が供給された場合に、シールイン回路７２に接続された開閉器１８の接点７１Ａ１、７１Ａ２を閉じることにより開閉器１８に主幹電流Ｉ１を供給させて、開閉器１８を開動作させるものである。開閉器一括監視装置２４は、このようなシールイン回路７２に電流が流れているかを適切に判断可能であるため、開閉器の動作を容易に監視することが可能となる。
【００８８】
図８は、開閉器の他の例を示す模式図である。図８に示すように、シールイン回路７２を有する開閉器１８ａは、引き外し回路７１ａに、電流検出部Ｓ３を設けてもよい。電流検出部Ｓ３は、接点７１Ａに直列であって、接点７１Ａよりも制御配電線Ｐ１側に配置されているが、引き外し回路７１ａに電流が流れているかを確認可能な位置であれば、その位置に限られない。電流検出部Ｓ３は、引き外し回路７１ａに電流が流れているかを確認可能なセンサであり、この例では、引き外し回路７１ａに流れる電流値を測定可能なクランプ式電流変成器である。開閉器一括監視装置２４は、この電流検出部Ｓ３から、引き外し回路７１ａに電流が流れているか、すなわち制御電流が流れているかの情報を取得する。開閉器一括監視装置２４は、例えば複数の開閉器１８ａが設けられている場合、電流検出部Ｓ３からどの開閉器１８ａに電流が流れたかを確認することも可能となる。従って、この開閉器一括監視装置２４によると、抽出した開閉器の制御電流波形が、どの開閉器のものであるかを認識可能となり、例えば波形から動作不良が確認された場合に、どの開閉器が動作不良であるかを容易に確認することが可能となる。従って、このような構成によると、複数の開閉器をより好適に一括監視できる。なお、この電流検出部Ｓ３は、シールイン回路７２が設けられていない開閉器２０に対しても、同じ位置に設けられていることが好ましい。
【００８９】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００９０】
１０  直流電源装置
１２、１４  分電盤
１６  遠制装置
１８、２０  開閉器
２２  機器
２４  開閉器一括監視装置
２６  遠隔監視制御装置
７１  引き外し回路
７２  シールイン回路
９０  電流取得部
９２  サンプリング部
９３  監視部
９４  主幹電流波形記録部
９６  判定部
９８  波形処理部
９９  制御電流判断部
１００  配電システム
１１０  電気所
Ｉ１  主幹電流
【図１】
2019030129.tif 000003
【図２】
2019030129.tif 000004
【図３】
2019030129.tif 000005
【図４】
2019030129.tif 000006
【図５】
2019030129.tif 000007
【図６】
2019030129.tif 000008
【図７】
2019030129.tif 000009
【図８】
2019030129.tif 000010